(57)【要約】【課題】横向きや斜め向きのソケットにＬＥＤランプを取り付けても、電球を取り付けた場合と略同様に照明器具で主として照らしたい向きに照射光を照射可能なＬＥＤランプ用のアダプタを提供する。【解決手段】この課題を解決するために、ＬＥＤランプ２０とソケット２３の間に取り付けられて、ＬＥＤランプ２０とソケット２３を電気的に接続して連結するアダプタ１を提供する。該アダプタ１は、電源線２４に接続されたソケット２３に取り付けられる第１基部２と、ＬＥＤランプ２０の口金２１が取り付けられる第２基部８と、第１基部２と第２基部８を回転自在で連結する回転機構部５と、ソケット２３と口金２１を電気的に接続する導電部１０と、を有する。そして、アダプタ１は第２基部８の口金２１の取付方向を第１基部２のソケット２３への取付方向に対して傾斜している。【選択図】図１
2012048980.tif 000002
【特許請求の範囲】
【請求項１】
ＬＥＤランプと、電源線に接続されたソケットと、の間に取り付けられて、前記ＬＥＤランプを前記ソケットに保持すると共に前記ＬＥＤランプの口金と前記ソケットを電気的に接続して連結するアダプタであって、前記ソケットに取り付けられる第１基部と、前記口金が取り付けられる第２基部と、前記第１基部と前記第２基部を回転自在で連結する回転機構部と、前記ソケットと前記口金を電気的に接続する導電部と、を有し、前記第２基部の前記口金の取付方向が前記第１基部の前記ソケットへの取付方向に対して傾斜したものであることを特徴とするアダプタ。
【請求項２】
前記第２基部が前記ＬＥＤランプの外周を覆う外装カバーを脱着自在で備えたものであることを特徴とする請求項１に記載のアダプタ。
【発明の詳細な説明】
【技術分野】
【０００１】
本発明は、アダプタ、殊にＬＥＤランプとソケットを電気的に接続して連結するアダプタに関するものである。
【背景技術】
【０００２】
従来から、玄関や廊下、或いはユニットバスルーム等の高い意匠性が好まれる場所への照明器具として、特許文献１、２等のように、照射光の指向性が低い白熱球や蛍光灯等の電球を光源に用いたものがある。以下、白熱球や蛍光灯等の電球を、単に、電球と記載し、該電球にはＬＥＤランプを含まないものとする。
【０００３】
このような照明として、例えば、図６に示すように、電球２５に加えて、電球２５の口金を取り付けるソケット２３と、ソケット２３を介して電球に給電する電源線２４と、電球２５の外側を覆うグローブと、を備えた壁付照明がある。そして、該壁付照明はソケット２３が構造体２２の壁面から直交して突出している。
【０００４】
更に、電球を用いた照明器具として、壁付照明の他に、例えば、反射板で内面を覆った凹所を天井に形成し、天井面に沿った横向き或いは斜め向きにソケットを設けたダウンライト照明等もある（特許文献２等参照）。
【０００５】
これら照明器具は、電球が球面の略全体から照射光を照射可能であることを利用して、構造体の床面や地面等の照明器具の下方や外下方（斜め下）を照らしている。なお、下方や外下方とは、ソケットの取付方向からラジアル方向等の放射状に向かう向きである。
【０００６】
また、近年省エネルギーや長寿命等の利点から、照明器具の光源を電球からＬＥＤランプへと切換が進んでいる。そして、これらＬＥＤランプは円状に照射光が広がるものであり、球状に照射光が広がる電球に比べて指向性が強いものとなっている（特許文献３等参照）。
【先行技術文献】
【特許文献】
【０００７】
【特許文献１】特開２００３−２４９１１３号公報
【特許文献２】特開平８−１８０７３０号公報
【特許文献３】特開２００８−９１１４０号公報
【発明の概要】
【発明が解決しようとする課題】
【０００８】
そのため、床面や地面等の被照射面に対して横向きや斜め向きにソケットを設けたものでは、電球からＬＥＤランプに切り換えると、照明器具の下方や外下方に照射光が当たり難くなるという問題がある。また、ダウンライト照明では、予め設けられた電球用の反射板でＬＥＤランプの照射光を反射させても、照明器具の真下に照射光が向き難いと共に、反射された照射光がＬＥＤランプの外郭に遮られて影を生じ易いという問題もある。
【０００９】
すなわち、被照射面に対して横向きや斜め向きにソケットを備えた照明器具において、光源を電球からＬＥＤランプに切り換えると、被照射面に良好な明るさを得ることが難しいという問題がある。
【００１０】
そこで、この事情に鑑み、被照射面に対して横向きや斜め向きのソケットにＬＥＤランプを取り付けても、被照射面に良好な明るさを得ることができるＬＥＤランプ用のアダプタを提供することを課題とした。
【課題を解決するための手段】
【００１１】
この課題を解決するために、本発明のアダプタは、ＬＥＤランプと、電源線に接続されたソケットと、の間に取り付けられて、前記ＬＥＤランプを前記ソケットに保持すると共に前記ＬＥＤランプの口金と前記ソケットを電気的に接続して連結するアダプタであって、前記ソケットに取り付けられる第１基部と、前記口金が取り付けられる第２基部と、前記第１基部と前記第２基部を回転自在で連結する回転機構部と、前記ソケットと前記口金を電気的に接続する導電部と、を有し、前記第２基部の前記口金の取付方向が前記第１基部の前記ソケットへの取付方向に対して傾斜したものであることを特徴とする。
【００１２】
このアダプタとして、前記第２基部が前記ＬＥＤランプの外周を覆う外装カバーを脱着自在で備えたものであることが好ましい。
【発明の効果】
【００１３】
このような構成としたことで、被照射面に対して横向きや斜め向きのソケットにＬＥＤランプを傾斜させて取り付けられ、電球利用時における被照射面に対してＬＥＤランプの照射光を照射できて、被照射面に良好な明るさを得ることができる。
ことができる。
【図面の簡単な説明】
【００１４】
【図１】実施形態の一例のアダプタを切断した側面図である。
【図２】同上の導電部の一部を省略した側面図である。
【図３】図１のＡ−Ａ断面図である。
【図４】同上のアダプタに反射板を取り付けた例の側面図である。
【図５】同上の他例のアダプタの一部を切断した側面図である。
【図６】従来の白熱球を取り付けた例の一部を切断した側面図である。
【発明を実施するための形態】
【００１５】
以下、図面に基づいてアダプタ１の実施形態を例示して説明する。
【００１６】
本実施形態における照明器具は、例えば、図１に示すように、光源となるＬＥＤランプ２０と、ＬＥＤランプ２０を取り付けると共にＬＥＤランプ２０に給電するソケット２３と、ＬＥＤランプ２０とソケット２３を接続するアダプタ１と、を備えている。ソケット２３は、構造体２２の壁から略直交して突出すると共に、外部の電源線２４に接続されており、光源に白熱球等の電球を用いた場合には、斜め下等の斜め外方が照明器具の被照射面となるものである。なお、外方とは、例えば、ソケット２３に電球を取り付ける際に電球の口金を回転させる回転中心軸からラジアル方向等の軸から放射状に広がる向きである。
【００１７】
そして、ＬＥＤランプ２０は、円管状の外郭を備えた本体と、ソケット２３に取付可能な有底筒状の口金２１と、複数の発光ダイオードを備え照射光を発する照射部と、を有しており、口金２１は外郭と略同芯で本体の軸方向の一端に設けられている。更に、ＬＥＤランプ２０は、光源から離れるほど大径となる略円錐形状に照射光を照射するものとなっている。以下、ＬＥＤランプ２０を、単に、ランプ２０と記載し、該ランプ２０の照射光の円錐の中心軸上で且つ光源から大径側に向かう向きを照射方向Ｆとする。
【００１８】
また、アダプタ１は、ソケット２３に取り付けられる第１基部２と、口金２１を取り付ける第２基部８と、第１基部２と第２基部８を回転自在で連結する回転機構部５と、ソケット２３と口金２１を電気的に接続する導電部１０と、からなる。
【００１９】
第１基部２は円管状の本体（以下、第１本体と記載する）で主体が構成されており、第１本体は外周に把持部４を有しており、把持部４は口金部３を回転させてソケット２３に取り付ける際に作業者が把持する部位となっている。また、第１本体は軸方向の一端にソケット２３に回転させながら差し入れる口金部３を備えている。そして、口金部３は、ランプ２０の口金２１と略同様に有底筒状の導電材からなり、第１本体の一端と略同芯で形成されると共に、底部に一極を備え、筒の外周に他極を備えている。更に、第１本体は他端が回転機構部５に接続されており、第１本体の管の中心軸と、回転機構部５の回転の中心軸が略同芯に位置している。
【００２０】
この回転機構部５は、第１本体の他端から一体で延設された円環状の内環部６と、内環部６の外周に配置された外環部７と、内環部６の外周に外環部７を位置決め保持する保持突起と、からなる。そして、回転機構部５は内環部６と外環部７の中心が略同芯で且つ外環部７の内周面に内環部６の外周面が当接されており、外環部７が内環部６の外周面上を摺り動くことで、外環部７が内環部６及び第１基部２に対して回転自在となっている。更に、外環部７は第２基部８に接続されており、第２基部８は回転機構部５を介して第１基部２に対して回転自在となっており、外環部７は内周面の軸方向の両端に保持突起が一体で形成されている。
【００２１】
第２基部８は円管状の本体（以下、第２本体と記載する）で主体が構成されており、第２本体は軸方向の一端が外環部７に接続されており、第２基部８と外環部７が一体となっている。そして、第２本体は中心軸が外環部７の中心軸に対して所定の角度Ｒ（実施例では約３０度）傾いて接続されており、第２基部８は回転機構部５を介して第１基部２に対して所定の角度Ｒ傾いて位置したものとなっている。更に、第２本体は他端にランプ２０の口金２１を回転させながら差し入れるソケット部９を有している。
【００２２】
該ソケット部９は第２本体の内部に円柱状に凹んだ凹陥部となっており、第２本体の他端に開口を有すると共に、円柱の中心軸が第２本体の中心軸と略同芯に位置している。そして、ソケット部９は凹陥部の内面に、口金部３の各電極に夫々電気的に接続される一対の電極と、ランプ２０を保持する保持部（特に図示しない）と、を備えている。
【００２３】
そのため、ソケット部９は第２基部８の中心軸に沿って口金２１を差し入れることで、ランプ２０が取り付けられるものとなっている。なお、保持部は、例えば、ソケット２３と略同様の構成である口金２１の雄ねじに嵌まり合う雌ねじを有したものや、雄ねじのねじ山に引っ掛る爪等の弾性的に保持するもの等である。
【００２４】
そのため、ランプ２０の口金２１を第２基部８のソケット部９に取り付けることで、第２基部８の第１基部２及び回転機構部に対する傾き分ランプ２０の照射方向Ｆを傾けて、ランプ２０をアダプタ１に保持させる（取り付ける）ことができる。
【００２５】
また、導電部１０は、図２に示すように、口金部３に一端が接続された二つの第１導電部材１１と、第１導電部材１１の他端が一方の板面に接続された基板１２と、基板１２の他方の板面上を一端が摺り動く二つの第２導電部材１５と、からなる。第１導電部材１１は、例えば、リード線であり、第１基部２の内部及び内環部６の内周側に位置しており、一端が夫々口金部３の異なる電極に口金部３内側で電気的に接続されている。
【００２６】
基板１２は、図３に示すように、円状の板を主体として、板の外周が内環部６の内周面に固定されている。該板の一方の板面には、一極に接続された一方の第１導電部材１１が円の中心に取り付けられており、その外周側に、他極に接続された他方の第１導電部材１１が取り付けられている。
【００２７】
そして、他方の板面には、円の中心に半球状に突出した第１接点１４と、第１接点１４から外周に所定の寸法離れて円と同心の環状で且つ断面半円形状に突出した第２接点１３と、が設けている。更に、基板１２は、第１接点１４が板を介して一方の第１導電部材１１の他端に電気的に接続されており、第２接点１３が板を介して他方の第１導電部材１１の他端に電気的に接続されている。つまり、基板１２は第１導電部材１１を介して、第１接点１４が口金部３の一極と電気的に接続されており、第２接点１３が口金部３の他極と電気的に接続されている。
【００２８】
また、第２導電部材１５は、例えば、導電性及び弾性を有した板ばね等の接点ばねであり、第２本体の内周側に位置すると共に第２本体に固定されている。つまり、第２導電部材１５は第２基部８と一体で回転するものであり、回転機構部５を介して第１基部２に対して回転自在となっている。
【００２９】
これら二つの接点ばねのうち、一方の接点ばねは一端が第１接点１４に当接されて電気的に接続されており、該一方の接点ばねは、回転時に、第１接点１４と電気的に接続された状態を保って、第１接点１４上を摺り動くものとなっている。一方の接点ばねは他端が第２基部８の中心軸上に位置しており、該一方の接点ばねは、基板１２及び第１導電部材１１を介して口金部３の一極と電気的に接続されている。
【００３０】
また、他方の接点ばねは一端が第２接点１３に当接されて電気的に接続されており、該他方の接点ばねは、回転時に、第２接点１３と電気的に接続された状態を保って、且つ第２接点１３の環に沿って、第２接点１３上を摺り動くものとなっている。そして、他方の接点ばねは他端側に第２基部８の中心軸を向くと共に中心軸の軸方向に平行な面を有した接点板１６を備えており、該接点板１６は、基部及び第１導線部材を介して口金部３の他極と電気的に接続されている。
【００３１】
つまり、一方の接点ばねの他端がソケット部９の一極を構成しており、他方の接点ばねの接点板１６がソケット部９の他極を構成している。そのため、ソケット部９は、接点ばねの弾性によって、各電極が口金２１に弾性的に接触して電気的に接続されるものとなっている。
【００３２】
このように、本例の照明器具は、アダプタ１をソケット２３とランプ２０の間に介在させて、ランプ２０をソケット２３に取り付けたことで、アダプタ１を介してランプ２０をソケット２３に機械的に保持させることができる。そして、アダプタ１の内部に導電部材を設けたことで、機械的に保持したランプ２０をソケット２３と電気的に接続させることができる。更に、口金部３の取付方向をソケット部９の取付方向に対して所定の角度Ｒ傾けて設けたことで、ランプ２０を所定の角度Ｒ傾けてソケット２３に取り付けることができる。
【００３３】
そのため、横向きや斜め向きのソケット２３にランプ２０を取り付けても、アダプタ１によって照射方向Ｆを下方や外下方に向けられて、下方や外下方の被照射面を良好に明るく照らすことができる。つまり、本アダプタ１を介してランプ２０をソケット２３に連結させたことで、被照射面に対して横向きや斜め向きで設けられたソケット２３に、照射方向Ｆを傾斜させてランプ２０を取り付けることができる。そのため、ソケット２３の取付方向の側方や斜め外方に位置する被照射面に、ランプ２０の照射方向Ｆを向けられて、ランプ２０の照射光で被照射面を良好な明るさで照らすことができる。
【００３４】
なお、口金２１及びソケット部９の取付方向とは、口金２１をソケット部９に取り付ける際に、口金２１を回転させる回転の中心軸と、口金２１をソケット部９に差し入れる向きと、に沿った方向である。そして、口金部３及びソケット２３の取付方向とは、口金部３をソケット２３に取り付ける際に、口金部３を回転させる回転の中心軸と、口金部３をソケット２３に差し入れる向きと、に沿った方向である。更に、所定の角度Ｒはこれら取付方向に沿った夫々の仮想直線（図１中の二つの点線）の成す角度である。
【００３５】
また、図４や図５に示すように、外装カバー１８を脱着自在に取り付けるための取付部１７を第２基部８に設けて、外装カバー１８によって照明器具の外観の意匠性を向上させてもよい。該取付部１７として、例えば、図４や図５のように、外装カバーの一端を差し入れて保持する保持溝等がある。
【００３６】
そして、外装カバー１８のランプ２０側を向く内面に、光を反射する反射面を設けることで、外装カバー１８がランプ２０の漏光や拡散光等を反射させて照射方向Ｆに向ける反射板として用いることができる。つまり、外装カバー１８を反射板に用いることで、ランプ２０の光をより多く照射光として被照射面に集光させることができて、被照射面をより明るく照らすことができる。
【００３７】
なお、アダプタ１に回転機構部５の回転を規制して保持するロック部を設けて、ロック部で回転機構部５をロックして回転不能にした状態で、アダプタ１を回転させて、口金部３をソケット２３に取り付けるものであってもよい。このものでは、外環部７が把持部４を兼ねるため、第１基部２の把持部４が不用となり、第１基部２の軸方向の寸法を小さくできて、アダプタ１をコンパクトにすることができる。
【００３８】
ましてや、回転機構部５の回転中心軸が第２基部８と略同芯で第１基部２に対して傾斜したものや、第１基部２と第２基部８と回転機構部５の軸方向が夫々異なるもの等であってもよい。そして、回転機構部５は内環部６が第２基部８に接続されて外環部７が第１基部２に接続されたものや、軸部と軸部の軸回りに回転自在な環部とからなるもの等であってもよく、第１基部２と第２基部８を回転自在で機械的に接続できればよい。
【００３９】
更に、導電部１０は第１基部２や第２基部８や回転機構部５等の外面に設けられたもの等であってもよい。ましてや、導電部１０は第１導電部材１１と第２導電部材１５と基部等の複数種の部材で構成したものに限らず、回転機構部５の回転範囲を規定して回転時の導電部材の捻れを抑制すれば、二本のリード線等の単体の導電部材で構成してもよい。もちろん、ソケット部９及び取り付けたランプ２０が回転機構部５の回転を阻害しなければ、第１接点１４を直接ソケット部９の一極に用いてもよい。
【００４０】
また、本例において、アダプタ１は口金部３の取付方向をソケット部９の取付方向に対して約３０度傾いているが、該傾きの角度Ｒは単なる数値的例示にすぎず、適宜設定するものにすぎず、例えば、４５度や６０度或いは９０度等であってもよい。そして、第１基部２や第２基部８は本体の形状が円管状に限らず、矩形状のものや、互いに異なる形状のもの等であってもよい。
【符号の説明】
【００４１】
１  アダプタ
２  第１基部
３  口金部
５  回転機構部
８  第２基部
９  ソケット部
１０導電部
２０  ＬＥＤランプ，ランプ
２１  口金
２３  ソケット
２４  電源線
２５  電球
Ｆ  照射方向
Ｒ  角度
【図１】
2012048980.tif 000003
【図２】
2012048980.tif 000004
【図３】
2012048980.tif 000005
【図４】
2012048980.tif 000006
【図５】
2012048980.tif 000007
【図６】
2012048980.tif 000008